(57)【要約】【課題】給湯器２で加熱生成された湯を浴槽１に設けられた洗浄ノズル１１へ導く洗浄管路３２と、洗浄液を貯留可能な洗剤タンク４０と、洗剤タンク４０内の洗浄液を洗浄管路３２へ導く洗剤供給管路４１と、給湯器２から洗浄管路３２への湯の供給を調整する温水開閉弁３３２と、洗剤タンク４０から洗浄管路３２への洗浄液の供給を調整する洗剤開閉弁４２とを備えた浴槽洗浄ユニット３において、水資源の浪費を抑制し得る浴槽洗浄ユニットを提供すること。【解決手段】上水道から給湯器２の熱交換器２０Ａを経由しないで直接的に洗浄管路３２へ水を導く冷水供給管路３１と、上水道から冷水供給管路３１への水の供給を調整する冷水開閉弁３３１とを備えた。【選択図】図１
2010075292.tif 000002
【特許請求の範囲】
【請求項１】
給湯器で加熱生成された湯を浴槽に設けられた洗浄ノズルへ導く洗浄管路と、洗浄液を貯留可能な洗剤タンクと、洗剤タンク内の洗浄液を洗浄管路へ導く洗剤供給管路と、給湯器から洗浄管路への湯の供給を調整する温水開閉弁と、洗剤タンクから洗浄管路への洗浄液の供給を調整する洗剤開閉弁とを備えた浴槽洗浄ユニットにおいて、
上水道から給湯器の熱交換器を経由しないで直接的に洗浄管路へ水を導く冷水供給管路と、
上水道から冷水供給管路への水の供給を調整する冷水開閉弁とを備えた、浴槽洗浄ユニット。
【請求項２】
請求項１に記載の浴槽洗浄ユニットにおいて、
洗浄管路へ供給する水へ銀イオンを溶出可能なイオン発生器を冷水供給管路に設けた、浴槽洗浄ユニット。
【発明の詳細な説明】
【技術分野】
【０００１】
本発明は、浴槽内へ湯水を噴射させてその内壁面の汚れを自動的に洗い落とす浴槽洗浄ユニットに関するものである。
【背景技術】
【０００２】
浴槽に設けられた洗浄ノズルから浴槽の内壁面に向けて湯を噴射させ、これにより、浴槽の内壁面に付着したごみや湯垢等の汚れを洗い落とす浴槽洗浄ユニットが知られている（例えば、特許文献１参照）。
【０００３】
図３は、上記従来の浴槽洗浄ユニットを備えた風呂システムの概略構成図であり、洗浄ノズル１１を備えた浴槽１と、給湯器２と、給湯器２で生成された湯を上記洗浄ノズル１１から噴射させる浴槽洗浄ユニット８とで構成されている。
【０００４】
浴槽洗浄ユニット８は、給湯器２から引き出された給湯配管Ｌ２と上記洗浄ノズル１１とを繋ぐ洗浄管路８２を備えており、この洗浄管路８２には、洗浄ノズル１１への湯の供給を遮断可能な温水開閉弁８３と、水量センサ８４と、洗浄ノズル１１への湯の供給量を調整可能な噴射量調整弁８５とが配設されている。
【０００５】
さらに、洗浄管路８２には、洗浄液を貯留する洗剤タンク９０が洗剤供給管路９１を介して接続されており、この洗剤供給管路９１には、洗浄管路８２への洗浄液の供給を遮断可能な洗剤開閉弁９２が設けられている。
【０００６】
また、浴槽洗浄ユニット８には、上記温水開閉弁８３や噴射量調整弁８５、洗剤開閉弁９２等の動作を制御する洗浄制御部Ｃ８が設けられており、この洗浄制御部Ｃ８によって、浴槽１の洗剤洗い動作やすすぎ動作等の洗浄動作が実行される。
【０００７】
具体的には、洗浄制御部Ｃ８が図示しないリモコンからの洗浄動作の指示を受けると、まず、温水開閉弁８３および洗剤開閉弁９２を開くとともに、水量センサ８４の検知流量に基づいて噴射量調整弁８５の開度を調整する洗剤洗い動作を実行する。その結果、給水配管Ｌ１から給湯器２内部の給湯用熱交換器２０Ａを介して浴槽洗浄ユニット８の洗浄管路８２へ水の供給が開始される。
【０００８】
また、給湯器２は、給湯用熱交換器２０Ａへの通水を検知すると、熱源２７Ａを作動させて給湯用熱交換器２０Ａ内の水を加熱し、給湯配管Ｌ２へ送り出す出湯動作を実行する。
これにより、洗浄ノズル１１からは、湯と洗浄液との混合液が噴射され、この混合液によって浴槽１の内壁面に付着したごみや湯垢等の汚れが洗い落とされる。
【０００９】
その後、上記洗剤洗い動作を開始してから一定時間が経過すれば、温水開閉弁８３および噴射量調整弁８５の開放状態を維持したまま洗剤開閉弁９２を閉じるすすぎ動作実行する。
これにより、洗浄ノズル１１からは、洗浄液を含まない湯のみが噴射され、この湯によって浴槽１の内壁面に付着した洗浄液がすすぎ落とされる。
【００１０】
しかしながら、湯によってすすぎ動作を行った後は、浴槽１内の温度が比較的高くなるから、雑菌やカビ類の増殖を助長する恐れがある。
【００１１】
そこで、上記従来の浴槽洗浄ユニット８において、上述のすすぎ動作の工程を行った後、洗浄動作の最終工程として洗浄ノズル１１から水を噴射させる冷却動作を行い、これにより、浴槽１内の温度を低下させる方法が考えられる。
【００１２】
具体的には、すすぎ動作を実行した状態で熱源２７Ａを停止させ、給水配管Ｌ１から給湯用熱交換器２０Ａへ供給された水を加熱せずにそのまま給湯配管Ｌ２へ送り出す。その結果、洗浄ノズル１１から水が噴射され、この水によって浴槽１内が冷却される。
【特許文献１】特許第３５９８８０８号公報
【発明の開示】
【発明が解決しようとする課題】
【００１３】
しかしながら、上記従来の浴槽洗浄ユニット８の構成では、上水道から給湯用熱交換器２０Ａを経由して洗浄ノズル１１へ水を供給するから、上述の冷却動作を実行すれば、給湯用熱交換器２０Ａや給湯配管Ｌ２等の出湯回路内の湯が全て水に置換されてしまい、その後、給湯配管Ｌ２に繋がるカランＫや図示しないシャワー等の他栓で給湯利用する際には、上記出湯回路内の水を放出し終えるまで他栓を開放しておく捨て水を行わなければならず、水資源を浪費する問題がある。
【００１４】
本発明は係る点に鑑みてなされたものであり、
『給湯器で加熱生成された湯を浴槽に設けられた洗浄ノズルへ導く洗浄管路と、洗浄液を貯留可能な洗剤タンクと、洗剤タンク内の洗浄液を洗浄管路へ導く洗剤供給管路と、給湯器から洗浄管路への湯の供給を調整する温水開閉弁と、洗剤タンクから洗浄管路への洗浄液の供給を調整する洗剤開閉弁とを備えた浴槽洗浄ユニット』において、水資源の浪費を抑制し得る浴槽洗浄ユニットを提供することを課題とする。
【課題を解決するための手段】
【００１５】
上記課題を解決するための請求項１に係る発明の技術的手段は、
『上水道から給湯器の熱交換器を経由しないで直接的に洗浄管路へ水を導く冷水供給管路と、
上水道から冷水供給管路への水の供給を調整する冷水開閉弁とを備えた』ことである。
【００１６】
上記技術的手段によれば、温水開閉弁を閉弁して給湯器から洗浄ノズルへの湯の供給を遮断し、且つ、冷水開閉弁を開弁して上水道から洗浄管路へ水を供給する冷却動作を実行した際、洗浄ノズルへ供給される水は、給湯器の熱交換器を経由しないで、冷水供給管路を通って直接的に送り込まれる。
【００１７】
即ち、上述の冷却動作を実行しても、給湯器内部の熱交換器や給湯器から器外へ引き出された給湯配管等の出湯回路内の湯は水に置換されないから、洗浄動作終了後に上記給湯配管に繋がるカランやシャワー等の他栓で給湯利用する際に、捨て水を行う必要がない。
【００１８】
請求項２に係る発明の技術的手段は、
前記請求項１において、
『洗浄管路へ供給する水へ銀イオンを溶出可能なイオン発生器を冷水供給管路に設けた』ことである。
【００１９】
このものでは、洗浄動作の仕上げ工程として、銀イオンを含んだ水を洗浄ノズルから噴射させる仕上げすすぎ動作を実行すれば、この銀イオンの抗菌効果によって浴槽内における雑菌やカビ類の増殖の抑制を図ることが可能であるが、この仕上げすすぎ動作を上述の浴槽の冷却動作として行うことで、洗浄動作全体における水の使用量を低減することが可能である。
【００２０】
また、冷水供給管路にイオン発生器を設けたことによって、洗浄管路へ水を供給しない洗浄動作を実行している間は、イオン発生器が通水にさらされない。即ち、洗浄動作を行っている間、常にイオン発生器が通水にさらされるのを防止できる。これにより、イオン発生器の劣化の進行を抑制することが可能である。
【発明の効果】
【００２１】
本発明は、上記構成であるから次の特有の効果を有する。
請求項１に係る発明では、洗浄動作終了後に他栓で給湯利用する場合であっても、捨て水を行う必要がないから、水資源の浪費を抑制できる。
【００２２】
請求項２に係る発明では、銀イオンを含んだ水による仕上げすすぎ動作を冷却動作として行うことによって、洗浄動作全体における水の使用量を低減することが可能であるから、水資源の浪費を一層抑制できる。
また、イオン発生器の劣化の進行を抑制することが可能であるから、浴槽洗浄ユニットの耐久性が向上する。
【発明を実施するための最良の形態】
【００２３】
次に、上記した本発明を実施するための最良の形態について、添付図面を参照しながら詳述する。
図１は、本発明の実施の形態に係る浴槽洗浄ユニットを備えた風呂システムの概略構成図であり、洗浄ノズル１１を備えた浴槽１と、風呂追焚機能を有する給湯器２と、給湯器２で生成された湯を上記洗浄ノズル１１から噴射させる浴槽洗浄ユニット３と、浴槽洗浄ユニット３を遠隔操作するためのコントローラ５とで構成されている。
【００２４】
浴槽１の内壁面には、追焚する際の風呂水の出入口を有する追焚循環口具１０が設けられており、この追焚循環口具１０に上記洗浄ノズル１１が一体形成されている。
【００２５】
洗浄ノズル１１は、浴槽洗浄ユニット３の後述する洗浄管路３２へ繋がっており、この洗浄管路３２を介して送り込まれた湯や水を浴槽１の内壁面へ向けて放射状に噴射するように形成されている。
【００２６】
給湯器２は、上水道から供給される水とガスの燃焼排気とを熱交換させる給湯用の熱交換器（以下、「給湯用熱交換器」という）２０Ａと、浴槽１から循環供給される湯水とガスの燃焼排気とを熱交換させる追焚用の熱交換器（以下、「追焚用熱交換器」という）２０Ｂとを備えている。
【００２７】
また、給湯器２の本体部からは、上水道へ繋がる給水配管Ｌ１と、カランＫや浴槽洗浄ユニット３へ繋がる給湯配管Ｌ２と、追焚循環口具１０の風呂水入口１０ａへ繋がる戻り側循環配管Ｌ３と、追焚循環口具１０の風呂水出口１０ｂへ繋がる往き側循環配管Ｌ４とが器外へ引き出されており、この給水配管Ｌ１および給湯配管Ｌ２が給湯用熱交換器２０Ａへ繋がっている一方、戻り側循環配管Ｌ３および往き側循環配管Ｌ４が上記追焚用熱交換器２０Ｂへ繋がっている。
【００２８】
給水配管Ｌ１は、給湯器２内部の入水管路２１Ａを介して給湯用熱交換器２０Ａの入水口２０１Ａに繋がっており、給湯配管Ｌ２は、給湯器２内部の出湯管路２２Ａを介して給湯用熱交換器２０Ａの出湯口２０２Ａに繋がっている。
【００２９】
一方、戻り側循環配管Ｌ３は、給湯器２内部の戻り湯管路２１Ｂを介して追焚用熱交換器２０Ｂの入水口２０１Ｂに繋がっており、往き側循環配管Ｌ４は、給湯器２内部の往き湯管路２２Ｂを介して追焚用熱交換器２０Ｂの出湯口２０２Ｂに繋がっている。
【００３０】
入水管路２１Ａには、給水配管Ｌ１から送り込まれる水の流量を検知する水量センサ（以下、「給湯量センサ」という）２３と、給水配管Ｌ１からバイパス管路２６を介して給湯配管Ｌ２へ送り出す水の混合割合を調整可能な分流弁２５とが上流側よりこの順序で配設されている。
【００３１】
一方、戻り湯管路２１Ｂには、循環ポンプＰが配設されており、この循環ポンプＰを作動することによって、浴槽１内に溜められた風呂水が追焚循環口具１０の風呂水入口１０ａから戻り側循環配管Ｌ３、戻り湯管路２１Ｂを経由して追焚用熱交換器２０Ｂへ導かれ、さらに、往き湯管路２２Ｂ、往き側循環配管Ｌ４を通って、再び追焚循環口具１０の風呂水出口１０ｂから浴槽１内へ戻される。
【００３２】
また、給湯器２の内部には、図示しないガス配管から送り込まれた燃料ガスを燃焼させ、その燃焼排熱によって給湯用熱交換器２０Ａおよび追焚用熱交換器２０Ｂを加熱するガスバーナ２７Ａ，２７Ｂが組み込まれている。
【００３３】
さらに、給湯器２内には、マイクロコンピュータやメモリ等で構成された給湯制御部Ｃ２が設けられており、この給湯制御部Ｃ２に組み込まれた出湯動作や風呂追焚動作等の制御プログラムによって、分流弁２５や循環ポンプＰ等の動作が電気的に制御される。
【００３４】
給湯制御部Ｃ２は、図示しない電気配線を通じてコントローラ５へ接続されており、このコントローラ５の運転スイッチ５１のオン操作に連動して上記制御プログラムが起動する。
【００３５】
浴槽洗浄ユニット３は、給湯用熱交換器２０Ａから給湯配管Ｌ２へ送り出された湯を洗浄ノズル１１へ導く洗浄管路３２と、上水道から給水配管Ｌ１へ送り込まれた水を洗浄管路３２へ導く冷水供給管路３１とを備えている。
【００３６】
洗浄管路３２には、給湯配管Ｌ２からの湯水の供給を遮断可能なオンオフ式の開閉弁（以下、「温水開閉弁」という）３３２と、洗浄管路３２から給湯配管Ｌ２への湯水の逆流を防止する逆流防止機構３６と、給水配管Ｌ１や給湯配管Ｌ２から送り込まれる湯水の流量を検知する水量センサ（以下、「噴射量センサ」という）３４と、洗浄ノズル１１への湯水の供給量を調整可能な水量制御弁（以下、「噴射量調整弁」という）３５と、洗浄ノズル１１から噴射させる湯水へ銀イオンを添加するイオン発生器３７とが、上流側よりこの順序で配設されている。従って、上記温水開閉弁３３２を開放し且つ噴射量調整弁３５を所定の開度に調整すれば、給湯器２の給湯用熱交換器２０Ａで加熱された湯が給湯配管Ｌ２を通って洗浄ノズル１１へ供給される。
【００３７】
冷水供給管路３１の下流端は、洗浄管路３２の上記温水開閉弁３３２と逆流防止機構３６との間に接続されており、その冷水供給管路３１には、給水配管Ｌ１からの水の供給を遮断可能なオンオフ式の開閉弁（以下、「冷水開閉弁」という）３３１が配設されている。従って、冷水開閉弁３３１を開放し且つ噴射量調整弁３５を所定の開度に調整すれば、給水配管Ｌ１から給湯器２の給湯用熱交換器２０Ａを経由しないで直接的に洗浄管路３２へ水が供給される。
【００３８】
噴射量調整弁３５は、ステッピングモータ等により弁開度を任意の位置に設定できる弁であり、この弁開度を変化させることによって、洗浄ノズル１１から浴槽１内へ噴射する湯水の流量を調整できる。
【００３９】
逆流防止機構３６は、上水道の断水等による給水配管Ｌ１の水圧低下に応動して開弁し、管路内を大気開放して浴槽水の上水側への逆流を防止する大気開放弁３６ａと、大気開放弁３６ａの下流側と上流側に配置された二つの逆止弁３６ｂ，３６ｃとで構成されている。そして、これら大気開放弁３６ａおよび逆止弁３６ｂ，３６ｃの各機能によって、イオン発生器３７から溶出された銀イオンが洗浄管路３２或いは冷水供給管路３１を通って給水配管Ｌ１や給湯配管Ｌ２へ流れ出すのが防止される。
【００４０】
イオン発生器３７は、図示しない一対の銀電極間へ所定電圧を印加してその銀電極間に電流を流すことにより、銀電極から銀イオンを溶出させるものであり、この発生器３７の銀電極間に流れる電流値を変化させることによって、洗浄管路３２を通過する湯水への銀イオンの溶出量を調整できる。
【００４１】
また、洗浄管路３２のイオン発生器３７の下流側には、洗浄液を貯留する洗剤タンク４０が洗剤供給管路４１を介して接続されており、この洗剤供給管路４１に配設されたオンオフ式の開閉弁（以下、「洗剤開閉弁」という）４２を開くことで、洗浄管路３２内の湯水へ洗浄液が混入される。具体的には、洗浄管路３２と洗剤供給管路４１との合流部Ｊ２は、ベンチュリ構造になっており、湯水が上記合流部Ｊ２を通過する際に生じる負圧、所謂、ベンチュリ効果によって、洗剤タンク４０内の洗浄液が洗剤供給管路４１を通って洗浄管路３２へ引き込まれる。
【００４２】
さらに、浴槽洗浄ユニット３には、マイクロコンピュータやメモリ等で構成された洗浄制御部Ｃ３が設けられており、この洗浄制御部Ｃ３に組み込まれた浴槽洗浄動作等の制御プログラムによって、冷水開閉弁３３１や温水開閉弁３３２、噴射量調整弁３５、イオン発生器３７、洗剤開閉弁４２等の動作が電気的に制御される。
【００４３】
具体的には、洗浄制御部Ｃ３は、図示しない電気配線を通じてコントローラ５へ接続されており、このコントローラ５の洗浄スイッチ５２のオン操作に連動して、温水開閉弁３３２を開き且つ噴射量センサ３４の検知流量に基づいて噴射量調整弁３５の開度を調整する予備洗い動作やすすぎ動作、温水開閉弁３３２および洗剤開閉弁４２等を開き且つ噴射量センサ３４の検知流量に基づいて噴射量調整弁３５の開度を調整する洗剤洗い動作、冷水開閉弁３３１を開き且つイオン発生器３７へ所定電圧を印加した状態で、噴射量センサ３４の検知流量に基づいて噴射量調整弁３５の開度を調整する仕上げすすぎ動作等の制御プログラムを起動する。
【００４４】
［自動洗浄動作の実際］
次に、上述の風呂システムにおける浴槽１の自動洗浄動作について説明する。尚、自動洗浄動作を行う際、浴槽１には風呂水が溜まっていない状態であるものとする。
【００４５】
コントローラ５の運転スイッチ５１がオンにされると、給湯制御部Ｃ２の制御プログラムおよび洗浄制御部Ｃ３の制御プログラムが起動し、コントローラ５の洗浄スイッチ５２がオンにされたか否かの監視を開始する。そして、コントローラ５の洗浄スイッチ５２がオンにされると、まず、予備洗い動作を実行する。
【００４６】
具体的には、予備洗い動作の工程が開始されると、洗浄制御部Ｃ３の制御プログラムによって、浴槽洗浄ユニット３の温水開閉弁３３２を開くとともに、噴射量調整弁３５を予め設定された開度に調整する。その結果、水が給水配管Ｌ１から給湯器２の入水管路２１Ａ、給湯用熱交換器２０Ａ（およびバイパス管路２６）を経由して出湯管路２２Ａへ導かれ、さらには、給湯配管Ｌ２を通って洗浄管路３２へ送り込まれる。
【００４７】
そして、入水管路２１Ａの通水量、即ち、給湯量センサ２３の検知流量が基準値以上になれば、給湯制御部Ｃ２の制御プログラムによって、図示しないガス配管からガスバーナ２７Ａへ燃料ガスを送り込んで燃焼させ、その燃焼排熱によって給湯用熱交換器２０Ａを加熱するとともに、予め設定された洗浄温度に応じて分流弁２５を所定の開度比率（例えば、給湯用熱交換器２０Ａ側への通水量が８０％、バイパス管路２６側への通水量が２０％）に調整する。
【００４８】
これにより、洗浄ノズル１１からは、給湯用熱交換器２０Ａ内で加熱生成された湯が噴射され、この湯によって、浴槽１の内壁面に付着したごみや湯垢等の汚れが予備的に洗い落とされる。
【００４９】
尚、給湯器２による給湯配管Ｌ２への出湯温は、上記分流弁２５の開度およびガスバーナ２７Ａの燃焼量を変化させることで調整されるように設定されているが、カランＫや図示しないシャワー等の他栓での給湯利用がなされていない場合には、浴槽１の内壁面に付着した油脂やタンパク質等の汚れを洗い落とすのに適した温度として浴槽洗浄ユニット３側で設定された噴射温度（例えば、４８℃）に調整され、上記他栓での給湯利用がなされた場合には、その他栓側で設定された給湯温度（例えば、４２℃）に調整される。
【００５０】
また、洗浄ノズル１１からの湯の噴射量は、噴射量センサ３４によって監視されており、その噴射量センサ３４の検知流量が良好な洗浄効果を発揮するために必要な噴射量（以下、「設定噴射量」という）と一致するよう、噴射量調整弁３５の開度が調整される。
【００５１】
従って、上記噴射量調整弁３５の開度調整中、噴射量センサ３４の検知流量が設定噴射量より低くなった場合には、給湯配管Ｌ２から他栓への給湯が開始されたと判定し、温水開閉弁３３２を閉じて洗浄管路３２への湯の供給を一時中断する。
そして、再び上記他栓が閉じられ、給湯量センサ２３の検知流量が基準値未満になれば、温水開閉弁３３２を開いて洗浄管路３２への湯の供給を再開する。
【００５２】
その後、予め設定された予備洗い動作の実行時間（例えば、１分）が経過すれば、次に、洗剤洗い動作を実行する。
【００５３】
具体的には、洗剤洗い動作の工程が開始されると、上述の予備洗い動作の実行状態を維持したまま、洗剤開閉弁４２を開く。その結果、上記合流部Ｊ２のベンチュリ効果によって、洗剤タンク４０内の洗浄液が洗剤供給管路４１を通って洗浄管路３２へ引き込まれる。
【００５４】
これにより、洗浄ノズル１１からは、給湯用熱交換器２０Ａ内で加熱生成された湯が洗浄液とともに噴射され、この洗浄液を含む湯によって、浴槽１の内壁面に付着した油脂やタンパク質等の汚れが洗い落とされる。
【００５５】
その後、予め設定された洗剤洗い動作の実行時間（例えば、２分）が経過すれば、次に、すすぎ動作を実行する。
【００５６】
具体的には、すすぎ動作の工程が開始されると、上述の予備洗い動作と同様の制御が実行される。
【００５７】
これにより、洗浄ノズル１１からは、給湯用熱交換器２０Ａ内で加熱生成された湯が噴射され、この湯によって、浴槽１の内壁面に付着した洗浄液や残留汚れがすすぎ落とされる。
【００５８】
そして、予め設定されたすすぎ動作の実行時間（例えば、１分）が経過すれば、洗浄動作の最終工程として、仕上げすすぎ動作を実行する。
【００５９】
具体的には、仕上げすすぎ動作の工程が開始されると、冷水開閉弁３３１を開くとともに、温水開閉弁３３２および洗剤開閉弁４２を閉じ、噴射量調整弁３５を予め設定された開度に調整する。その結果、水が給水配管Ｌ１から給湯用熱交換器２０Ａを経由せず、直接的に冷水供給管路３１へ送り込まれる。
【００６０】
また、イオン発生器３７へ所定電圧を印加し、洗浄管路３２を通過する水へ銀イオンの溶出を開始する。
【００６１】
これにより、洗浄ノズル１１からは、銀イオンを含んだ水が噴射され、この水によって、浴槽１の内壁面に残留した洗浄液や汚れがすすぎ落とされるとともに、その表面が銀イオンによってコーティングされる。そして、この銀イオンの抗菌効果によって、浴槽１の内壁面における雑菌やカビ類の増殖が抑制される。また、上述の予備洗い動作や洗剤洗い動作、すすぎ動作によって加熱された浴槽１の内壁面が、上記水によって冷却される。
【００６２】
その後、予め設定された仕上げすすぎ動作の実行時間（例えば、１分）が経過すれば、イオン発生器３７への所定電圧の印加を停止するとともに冷水開閉弁３３１を閉じ、洗浄ノズル１１からの水の噴射を停止する。
【００６３】
このように、給水配管Ｌ１から給湯用熱交換器２０Ａを経由しないで、直接的に上水道から洗浄ノズル１１へ水を供給することが可能な構成を採用したことによって、仕上げすすぎ動作を行っても、給湯器２内部の給湯用熱交換器２０Ａや出湯管路２２Ａ、給湯配管Ｌ２等の出湯回路内の湯は水に置換されない。従って、洗浄動作終了後にカランＫ等の他栓側で給湯利用する際にも、捨て水を行う必要がないから、水資源の浪費を抑制できる。
【００６４】
さらに、浴槽１内の温度を低下させるための冷却動作として、洗浄動作の最終工程である銀イオンによる仕上げすすぎ動作を水で行うことによって、洗浄動作全体における水の使用量を低減することが可能であるから、水資源の浪費を一層抑制できる。
【００６５】
また、浴槽１の内壁面を銀イオンによってコーティングする動作と、洗剤洗浄動作やすすぎ動作等で上昇した浴槽１の内壁面の温度を低下させる動作とを同時に行うことが可能であるから、その内壁面での雑菌やカビ類の増殖が一層抑制され、これにより、良好な洗浄性能を発揮できる。
【００６６】
［他の実施形態］
尚、上記実施の形態では、洗浄管路３２にイオン発生器３７が設けられているが、図２に示すように、冷水供給管路３１にイオン発生器３７を配設しても良い。
【００６７】
このものでは、上述の洗剤洗い動作を実行している間は、イオン発生器３７が通水にさらされない。即ち、洗浄動作を行っている間、常にイオン発生器３７が通水にさらされるのを防止できるから、イオン発生器３７の劣化の進行を抑制することが可能である。これにより、浴槽洗浄ユニット３の耐久性が向上する。
【００６８】
尚、冷水供給管路３１にイオン発生器３７を配設した場合、冷水供給管路３１のイオン発生器３７の上流側には、上記逆流防止機構３６と同一構成、即ち、大気開放弁３８ａと逆止弁３８ｂ，３８ｃとで構成された逆流防止機構３８を設けるのが好ましい。これにより、イオン発生器３７から溶出された銀イオンが冷水供給管路３１を通って上水側へ流れ出す不具合を防止できる。
【００６９】
また、上記実施形態において、洗浄ノズル１１は、追焚循環口具１０に一体形成されているが、追焚循環口具１０とは別体で設けても良いし、追焚循環口具１０に形成された追焚用の風呂水出口１０ｂを洗浄ノズルとして共有する構成にしても良い。
【００７０】
上記実施の形態では、冷水開閉弁３３１および温水開閉弁３３２はオンオフ式の開閉弁であるが、洗浄ノズル１１への水または湯の供給を遮断可能であれば、冷水供給管路３１もしくは洗浄管路３２の流量を調整可能な流量制御弁を採用しても良い。このものでは、冷水開閉弁３３１および温水開閉弁３３２の開度を調整することによって、洗浄ノズル１１への湯水の供給量を調整することが可能であるから、噴射量調整弁３５を設ける必要がない。従って、浴槽洗浄ユニット３の構造を簡略化できる。
【００７１】
また、上記実施の形態では、洗剤開閉弁４２はオンオフ式の開閉弁であるが、洗浄管路３２への洗浄液の供給を遮断可能であれば、洗剤供給管路４１の流量を調整可能な流量制御弁を採用しても良い。
【図面の簡単な説明】
【００７２】
【図１】本発明の実施形態に係る浴槽洗浄ユニットを備えた風呂システムの概略構成図
【図２】本発明の他の実施形態に係る浴槽洗浄ユニットの説明図
【図３】従来の浴槽洗浄ユニットを備えた風呂システムの概略構成図
【符号の説明】
【００７３】
１・・・浴槽
１１・・・洗浄ノズル
２・・・給湯器
３・・・浴槽洗浄ユニット
３１・・・冷水供給管路
３２・・・洗浄管路
３３１・・・冷水開閉弁
３３２・・・温水開閉弁
３５・・・噴射量調整弁
４０・・・洗剤タンク
４１・・・洗剤供給管路
４２・・・洗剤開閉弁
【図１】
2010075292.tif 000003
【図２】
2010075292.tif 000004
【図３】
2010075292.tif 000005